(57)【特許請求の範囲】
【請求項１】
照明器具を含む家庭用電化製品に関連付けられているタッチセンサで、タッチイベントを検出するステップと、
前記検出に呼応して、前記家庭用電化製品の主機能を行うように、前記家庭用電化製品を操作するステップであって、前記主機能は、前記照明器具の照明を制御することを含む、ステップと、
前記タッチイベントを示すデータを前記家庭用電化製品から離隔したコンピュータデバイスに送信するステップと、
前記タッチイベントを示す送信された前記データが、前記コンピュータデバイスにより起動されるステートマシンに関連付けられている所定のタッチイベントプロファイルを満たすことを決定するステップと、
前記決定に呼応して、前記コンピュータデバイスにおける前記ステートマシンを起動するステップと、
を含む、方法。
【請求項２】
前記家庭用電化製品は、１つ以上の他の照明器具を含む、請求項１に記載の方法。
【請求項３】
前記送信するステップは、ＺｉｇＢｅｅ（登録商標）、無線周波数通信又は符号化光を使用して送信するステップを含む、請求項２に記載の方法。
【請求項４】
前記コンピュータデバイスは、照明システムブリッジを含む、請求項１、２又は３に記載の方法。
【請求項５】
前記コンピュータデバイスは、モバイルコンピュータデバイスを含む、請求項１乃至４の何れか一項に記載の方法。
【請求項６】
前記家庭用電化製品の主機能を行うように前記家庭用電化製品を操作するステップは、前記照明器具内に設置される１つ以上の光源を活性化するステップを含む、請求項１乃至５の何れか一項に記載の方法。
【請求項７】
前記タッチセンサは、前記家庭用電化製品に印加される力又は前記家庭用電化製品の動きを検出する加速度計を含む、請求項１乃至６の何れか一項に記載の方法。
【請求項８】
前記タッチセンサは、携帯可能なタッチセンサであり、前記方法は更に、前記タッチセンサを、前記家庭用電化製品内又は上に設置するステップを含む、請求項１乃至７の何れか一項に記載の方法。
【請求項９】
前記所定のタッチイベントプロファイルとの関連付けのために、複数のステートマシンから前記ステートマシンを選択するように、モバイルコンピュータデバイスを操作するステップを更に含む、請求項１乃至８の何れか一項に記載の方法。
【請求項１０】
前記複数のステートマシンは、テキストメッセージを指定受信者に送信するテキストメッセージステートマシンを含む、請求項９に記載の方法。
【請求項１１】
コンピュータデバイスであって、
ワイヤレス通信インターフェースと、
前記ワイヤレス通信インターフェースに動作可能に結合される１つ以上のプロセッサと、
前記１つ以上のプロセッサによる命令の実行に呼応して、前記１つ以上のプロセッサにより、
前記ワイヤレス通信インターフェースを介して、当該コンピュータデバイスから離隔した照明器具を含む家庭用電化製品であって、該家庭用電化製品におけるタッチイベントの検出に呼応して、前記照明器具の照明を制御することを含む該家庭用電化製品の主機能を行うように構成される家庭用電化製品における前記タッチイベントを示すデータを受信させ、
前記タッチイベントが、所定のタッチイベントプロファイルを満たすことを決定させ、
前記所定のタッチイベントプロファイルに関連付けられるステートマシンを特定させ、
当該コンピュータデバイスにおける前記ステートマシンを起動させる、命令を含むメモリと、
を含む、コンピュータデバイス。
【請求項１２】
前記タッチイベントが、前記所定のタッチイベントプロファイルを満たすことを決定するために、前記メモリは、前記１つ以上のプロセッサによる前記命令の実行に呼応して、前記１つ以上のプロセッサにより、前記タッチイベントを示す前記データに基づいて、複数の所定のタッチイベントプロファイルから、前記所定のタッチイベントプロファイルを特定させる命令を更に含む、請求項１１に記載のコンピュータデバイス。
【請求項１３】
前記ステートマシンを特定するために、前記メモリは、前記１つ以上のプロセッサによる前記命令の実行に呼応して、前記１つ以上のプロセッサにより、前記タッチイベントを示す前記データに基づいて、複数のステートマシンから前記ステートマシンを選択させる命令を更に含む、請求項１１又は１２に記載のコンピュータデバイス。
【請求項１４】
前記複数のステートマシンは、テキストメッセージを指定受信者に送信するテキストメッセージステートマシンを含む、請求項１３に記載のコンピュータデバイス。
【請求項１５】
当該コンピュータデバイスは、モバイルコンピュータデバイス、又は照明システムブリッジを含む、請求項１１乃至１４の何れか一項に記載のコンピュータデバイス。
【発明の詳細な説明】
【技術分野】
【０００１】
［0001］  本発明は、概して、タッチ制御型及び／又はネットワーク化された家庭用電化製品に関する。より具体的には、本明細書に開示される様々な発明方法及び装置は、家庭用電化製品において検出されるタッチイベントに呼応して、ステートマシンを起動することに関する。
【背景技術】
【０００２】
［0002］  照明器具及び／又は照明ユニットといったネットワーク化された家庭用電化製品は、スマートホン、タブレットコンピュータ、及び／又は、スマート眼鏡、スマート腕時計等のウェアラブルコンピュータデバイスといったモバイルコンピュータデバイスで制御される。しかし、ユーザが、照明器具の照明設定を変更したいと思うときに、モバイルコンピュータデバイスが常にすぐ手に届くところにあるわけではない。更に、多くの家庭用電化製品が（少なくとも何らかの方法で）通信可能であるという事実は、これらの家庭用電化製品の操作に結び付けられる潜在的な応用の無数の可能性を開く。
【発明の概要】
【発明が解決しようとする課題】
【０００３】
したがって、当技術分野において、照明制御を含む様々な作業及び応用を行うように様々な家庭用電化製品の通信能力を活用する必要がある。
【０００４】
［0003］  本開示は、家庭用電化製品にて検出される１つ以上のタッチイベントに呼応して１つ以上のステートマシンを起動する発明方法及び装置に関連する。（例えばタッチ制御されるように作られる又は別個のタッチセンサが組み込まれている）例えばタッチ制御型照明器具が、照明器具の照明を制御するだけでなく、スマートホン、照明システムブリッジ等といったリモートコンピュータデバイスにおける様々なステートマシンも起動するように操作される。スマートホンといったモバイルコンピュータデバイスは、所定のタッチイベントプロファイルを、スマートホン、照明システムブリッジ又は別のリモートコンピュータデバイスにおいて起動されるべき１つ以上のステートマシンに関連付けるように操作される。
【課題を解決するための手段】
【０００５】
［0004］  一般に、一態様において、方法は、家庭用電化製品に関連付けられているタッチセンサで、タッチイベントを検出するステップと、検出に呼応して、家庭用電化製品の主機能を行うように、家庭用電化製品を操作するステップと、タッチイベントが、所定のタッチイベントプロファイルを満たすことを決定するステップと、決定に呼応して、家庭用電化製品から離隔したコンピュータデバイスにおけるステートマシンを起動するステップとを含む。
【０００６】
［0005］  様々な実施形態において、上記ステートマシンを起動するステップは、ネットワークを介してタッチセンサに関連付けられているコントローラによって、決定に呼応して、ステートマシンを起動する命令を発行するステップを含む。様々なバージョンにおいて、家庭用電化製品は、照明器具を含み、上記発行するステップは、１つ以上の命令を、１つ以上の他の照明器具に送信するステップを含む。様々なバージョンにおいて、上記送信するステップは、ＺｉｇＢｅｅ（登録商標）、無線周波数通信又は符号化光を使用して送信するステップを含む。様々なバージョンにおいて、上記発行するステップは、命令を、照明システムブリッジに送信するステップを含む。様々なバージョンにおいて、上記発行するステップは、命令を、モバイルコンピュータデバイスに送信するステップを含む。
【０００７】
［0006］  様々な実施形態において、家庭用電化製品は、照明器具を含み、家庭用電化製品の主機能を行うように家庭用電化製品を操作する上記ステップは、照明器具内に設置される１つ以上の光源を活性化するステップを含む。様々な実施形態において、タッチセンサは、家庭用電化製品に印加される力又は家庭用電化製品の動きを検出する加速度計を含む。様々な実施形態において、タッチセンサは、携帯可能なタッチセンサであり、上記方法は更に、タッチセンサを、家庭用電化製品内又は上に設置するステップを含む。
【０００８】
［0007］  様々な実施形態において、上記方法は更に、所定のタッチイベントプロファイルとの関連付けのために、複数のステートマシンから上記ステートマシンを選択するように、モバイルコンピュータデバイスを操作するステップを含む。様々なバージョンにおいて、複数のステートマシンは、テキストメッセージを指定受信者に送信するテキストメッセージステートマシンを含む。様々なバージョンにおいて、上記指定受信者は、緊急要員である。
【０００９】
［0008］  家庭用電化製品が照明器具である様々な実施形態において、上記方法は更に、モバイルコンピュータデバイスを操作して、タッチセンサに関連付けられているコントローラを、決定に呼応して、１つ以上の他の照明器具に命令をブロードキャストするように設定するステップを含む。様々なバージョンにおいて、上記方法は更に、ブロードキャストされた命令に基づいて、選択される特性を有する光を放出するように、１つ以上の他の照明器具を設定するステップを含む。
【００１０】
［0009］  別の態様において、モバイルコンピュータデバイスは、ワイヤレス通信インターフェースと、ワイヤレス通信インターフェースに動作可能に結合される１つ以上のプロセッサと、１つ以上のプロセッサによる命令の実行に呼応して、１つ以上のプロセッサにより、ワイヤレス通信インターフェースを介して、家庭用電化製品におけるタッチイベントを示すデータを受信させ、タッチイベントが、所定のタッチイベントプロファイルを満たすことを決定させ、所定のタッチイベントプロファイルに関連付けられるステートマシンを特定させ、モバイルコンピュータデバイスにおける又は別のリモートデバイスにおけるステートマシンを起動させる、命令を含むメモリとを含む。
【００１１】
［0010］  様々な実施形態において、タッチイベントが、所定のタッチイベントプロファイルを満たすことを決定するために、メモリは、１つ以上のプロセッサによる命令の実行に呼応して、１つ以上のプロセッサにより、タッチイベントを示すデータに基づいて、複数の所定のタッチイベントプロファイルから、所定のタッチイベントプロファイルを特定させる、命令を更に含む。
【００１２】
［0011］  様々な実施形態において、タッチイベントを示すデータは、タッチイベントと所定のタッチイベントプロファイルとの一致を示すデータを含む。様々な実施形態において、タッチイベントを示すデータは、モバイルコンピュータデバイスにおける又は別のリモートデバイスにおけるステートマシンを起動する命令を含む。
【００１３】
［0012］  様々な実施形態において、上記モバイルコンピュータデバイスは更に、タッチスクリーンを含む。メモリは更に命令を含み、当該命令は、１つ以上のプロセッサによる当該命令の実行に呼応して、１つ以上のプロセッサに、タッチスクリーン上に、所定のタッチイベントプロファイルをステートマシンに関連付けるように動作可能であるユーザインターフェースをレンダリングさせる。様々なバージョンにおいて、メモリは更に命令を含み、当該命令は、１つ以上のプロセッサによる当該命令の実行に呼応して、１つ以上のプロセッサに、照明器具から、ワイヤレス通信インターフェースを介して、所定のタッチイベントプロファイルに一致しないタッチイベントの指示を受信することに呼応して、ユーザインターフェースをレンダリングさせる。
【００１４】
［0013］  様々な実施形態において、ステートマシンを特定するために、メモリは更に命令を含み、当該命令は、１つ以上のプロセッサによる当該命令の実行に呼応して、１つ以上のプロセッサに、タッチイベントを示すデータに基づいて、複数のステートマシンからステートマシンを選択させる。様々なバージョンにおいて、複数のステートマシンは、テキストメッセージを指定受信者に送信するテキストメッセージステートマシンを含む。様々なバージョンにおいて、上記指定受信者は、緊急要員である。様々なバージョンにおいて、複数のステートマシンは、ベビーモニタを起動するステートマシンを含む。
【００１５】
［0014］  別の態様において、照明システム用のブリッジは、ワイヤレス通信インターフェースと、ワイヤレス通信インターフェースと動作可能に結合される１つ以上のプロセッサと、１つ以上のプロセッサによる命令の実行に呼応して、１つ以上のプロセッサにより、照明システム内の照明ユニットから、ワイヤレス通信インターフェースを介して、照明ユニットによって検出されるタッチイベントを示すデータを受信させ、タッチイベントが、所定のタッチイベントプロファイルを満たすことを決定させ、所定のタッチイベントプロファイルに関連付けられるステートマシンを特定させ、照明システムのブリッジにおける又はモバイルコンピュータデバイスにおけるステートマシンを起動させる、命令を含むメモリとを含む。
【００１６】
［0015］  「照明固定具」又は「照明器具」との用語は、本明細書では、特定のフォームファクタ、アセンブリ又はパッケージでの１つ以上の照明ユニットの実施又は配置を指すと、区別しないで使用される。「照明ユニット」との用語は、本明細書では、同じ又は異なるタイプの１つ以上の光源を含む装置を指すように使用される。所与の照明ユニットは、様々な光源の取付け配置、筐体／ハウジング配置及び形状、並びに／又は、電気及び機械的接続構成の何れか１つを有していてよい。更に、所与の照明ユニットは、光源の動作に関連する様々な他のコンポーネント（例えば制御回路）に任意選択的に関連付けられてもよい（例えば含む、結合される及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なるスペクトルの放射線を発生させる少なくとも２つの光源を含むＬＥＤベースの又は非ＬＥＤベースの照明ユニットを指すものであり、各異なる光源スペクトルは、マルチチャネル照明ユニットの「チャネル」と呼ばれてもよい。
【００１７】
［0016］  「コントローラ」との用語は、本明細書では、概して、１つ以上の光源の動作に関連する様々な装置を説明するように使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されるコントローラコンポーネントの例としては、従来のマイクロプロセッサ、特定用途向け集積回路（ＡＳＩＣ）、及びフィールドプログラマブルゲートアレイ（ＦＰＧＡ）を含むがこれらに限定されない。
【００１８】
［0017］  様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられてよい。幾つかの実施態様において、記憶媒体は、１つ以上のプロセッサ及び／又はコントローラ上で実行されると、本明細書で説明した機能の少なくとも幾つかを実行する１つ以上のプログラムによってコード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウエア又はマイクロコード）を指すように使用される。
【００１９】
［0018］  「ネットワーク」との用語は、本明細書において使用される場合、（コントローラ又はプロセッサを含む）任意の２つ以上のデバイス間及び／又はネットワークに結合された複数のデバイス間での（例えばデバイス制御、データ記憶、データ交換等のための）情報の転送を容易にする２つ以上のデバイスの任意の相互接続を指す。容易に理解されるように、複数のデバイスを相互接続するのに適したネットワークの様々な実施態様は、様々なネットワークトポロジのうちのどのネットワークを含んでもよく、様々な通信プロトコルのうちのどの通信プロトコルを使用してもよい。更に、本開示による様々なネットワークにおいて、２つのデバイス間の接続はいずれも、２つのシステム間の専用接続を表すか、又は、これに代えて非専用接続を表してもよい。２つのデバイス用の情報を担持することに加えて、当該非専用接続（例えばオープンネットワーク接続）は、必ずしも２つのデバイス用ではない情報を担持することがある。更に、容易に理解されるように、本明細書で説明されたデバイスの様々なネットワークは、ネットワーク全体に亘る情報の転送を容易にするために、１つ以上のワイヤレス、ワイヤ／ケーブル及び／又は光ファイバリンクのリンクを使用してもよい。
【００２０】
［0019］  「ユーザインターフェース」との用語は、本明細書において使用される場合、人間であるユーザ又はオペレータと、当該ユーザとデバイス間の通信を可能にする１つ以上のデバイスとの間のインターフェースを指す。本開示の様々な実施態様に使用されてもよいユーザインターフェースの例としては、スイッチ、電位差計、ボタン、ダイアル、スライダ、マウス、キーボード、キーパッド、様々なタイプのゲームコントローラ（例えばジョイスティック）、トラックボール、ディスプレイスクリーン、様々なタイプのグラフィカルユーザインターフェース（ＧＵＩ）、タッチスクリーン、マイクロホン及び人間が生成した何らかの形の刺激を受信し、それに呼応して信号を生成する他のタイプのセンサを含むが、これらに限定されない。
【００２１】
［0020］  「照明制御アクション」は、特定の照明特性を有する光を放出するための命令又はコマンドであってよい。例えば照明制御アクションは、照明ユニット又は照明ユニットが組み込まれている照明器具に、それが放出する光の、色相、彩度、輝度／強度、温度、動的シーケンス等といった特性を変化させる。照明制御アクションは更に、照明ユニット又は照明ユニットが組み込まれている照明器具に、点灯又は消灯させる、動的照明シーケンスを開始／停止させる、所定の照明シーン（例えばロマンティックなシーン、リラックスしたシーン、昼寝のシーン等）を呼び出させる。
【００２２】
［0021］  「タッチ制御型」家庭用電化製品とは、１つ以上のタッチされなければ動作しない表面をタッチすることによって制御される照明器具といった家庭用電化製品である。これは、家庭用電化製品を制御するために、触覚スイッチを操作すること、紐を引くこと、ボタンを押すこと、ノブを回すこと又は他の従来技術の機構を操作することとは対照的である。これは必ずしも家庭用電化製品が触覚スイッチ又は他のアクチュエータも含むことができないことを意味するわけではなく、タッチ制御型家庭用電化製品は、このような従来の手段によって制御されてもよい。幾つかの場合では、タッチ制御型家庭用電化製品は、少なくとも部分的に容量性であってよい。ユーザのタッチが、コントローラによって検出されるように電気容量を変化させ、これに応じて、家庭用電化製品の動作が制御される。他の場合では、加速度計が使用されて、家庭用電化製品に印加される力及び／又は家庭用電化製品の動きが検出される。測定された力は、１つ以上の所定の力と比較され、取るべきアクションが決定される。家庭用電化製品は、照明器具に加えて、台所用電化製品、風呂場用電化製品又は家庭で一般的に使用される任意の他のデバイスを含む。
【００２３】
［0022］  「タッチイベントプロファイル」は、タッチ制御型家庭用電化製品がタッチされた方法を示すデータである。幾つかの実施形態では、タッチイベントプロファイルは、家庭用電化製品の電気容量の変化を示すデータを含む。幾つかの実施形態では、タッチイベントプロファイルは、加速度計によって検出されるインパルス応答の記録を含む。幾つかの実施形態では、タッチイベントプロファイルは、家庭用電化製品と、照明システムブリッジといったリモートコンピュータデバイスとの間の無線信号の減衰を示すデータを含む。
【００２４】
［0023］  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解されるべきである。特に、本開示の終わりに登場する請求項に係る主題のあらゆる組み合わせは、本明細書に開示される本発明の主題の一部であると考えられる。当然ながら、参照により組み込まれる任意の開示内容にも登場する、本明細書にて明示的に使用される用語には、本明細書に開示される特定の概念と最も整合性のある意味が与えられるべきであることを理解されるべきである。
【図面の簡単な説明】
【００２５】
［0024］  図面中、同様の参照符号は、全般的に様々な図を通して同じ部分を指している。更に、図面は必ずしも縮尺通りではなく、重点は全体的に本発明の原理の説明に置かれている。
【００２６】
【図１】［0025］図１は、様々な実施形態にしたがって、タッチイベントに呼応して、ステートマシンを起動させるように家庭用電化製品を設定する方法の一例を示す。
【図２】［0026］図２は、様々な実施形態にしたがって、照明器具の形の例示的な家庭用電化製品のコンポーネントを概略的に示す。
【図３】［0027］図３は、様々な実施形態にしたがって、複数のステートマシンを起動させるように家庭用電化製品を設定するやり方の一例を示す。
【図４】［0028］図４は、様々な実施形態にしたがって、タッチイベントに呼応して、他の家庭用電化製品及びデバイスにおける複数のステートマシンを起動し、また、後に検出されるタッチイベントに呼応して、当該起動をもたらす図３の家庭用電化製品を示す。
【図５】［0029］図５は、様々な実施形態にしたがって、タッチイベントに呼応して、１つ以上のステートマシンを起動させるように家庭用電化製品を設定する方法の一例を示す。
【発明を実施するための形態】
【００２７】
［0030］  照明器具及び／又は照明ユニットといった家庭用電化製品は、スマートホン、タブレットコンピュータ及び／又はウェアラブルコンピュータデバイスといったモバイルコンピュータデバイスで制御される。しかし、ユーザが、照明器具の照明設定を変更したいと思うときに、モバイルコンピュータデバイスが常にすぐ手に届くところにあるわけではない。更に、多くの家庭用電化製品が（少なくとも何らかの方法で）通信可能であるという事実は、これらの家庭用電化製品の制御及び様々な作業の実行のための無数の可能性を開く。したがって、当技術分野において、照明制御を含む様々な作業及び応用を行うように様々な家庭用電化製品（又は内蔵されるタッチセンサ）の通信能力を活用する必要がある。より一般的に、出願人は、家庭用電化製品において検出されたタッチイベントを様々なステートマシンに関連付けることが有益であることを認識し、理解している。
【００２８】
［0031］  図１を参照するに、一実施形態において、照明システム１００は、少なくとも１つの照明器具１０２と、照明システムブリッジ１１０とを含む。照明器具１０２は、以下に説明されるように、その主機能（例えば光の放出）のために照明器具１０２を動作させると共に、様々なリモートデバイス及び／又は家庭用電化製品における様々なタイプのステートマシンの起動をもたらすようにタッチされる外面１０４を有する。照明器具１０２は、１つ以上の内蔵型照明ユニット１０６を含む。照明ユニット１０６は、様々な形であってよく、ＬＥＤ、白熱灯等といった様々なタイプの光源を含む。照明器具１０２は、卓上の直立照明器具として形成されているため、照明器具１０２に光を放出させ、及び／又は、１つ以上のステートマシンを起動させるようにタッチされるランプシェード１０８を含む。
【００２９】
［0032］  照明システムブリッジ１１０は、照明器具１０２及び／又は照明ユニット１０６といった１つ以上の照明器具及び／又は照明ユニットと、他の家庭用電化製品と、ネットワークを介して通信する。様々な実施形態において、照明システムブリッジ１１０は、様々な無線及び有線媒体だけでなく、Ｗｉ−Ｆｉ（登録商標）、イーサネット（登録商標）、ＺｉｇＢｅｅ（登録商標）、符号化光、無線周波数（「ＲＦ」）等を含むがこれらに限定されない様々な通信技術を使用して、照明器具及び／又は照明ユニットと通信する。様々な実施形態において、照明器具及び／又は照明ユニットも同様に、同様の媒体及び技術を使用して、照明システムブリッジ１１０及び／又は互いに通信する。
【００３０】
［0033］  ユーザは、モバイルコンピュータデバイス１１２といったコンピュータデバイスを使用して、照明システムブリッジ１１０、照明器具１０２及び／又は照明ユニット１０６と通信する及び／又はそれらを操作することができる。モバイルコンピュータデバイス１１２は、スマートホン、タブレットコンピュータ、ウェアラブルコンピュータ（例えばスマート眼鏡、スマート腕時計等）、ラップトップコンピュータ等といった様々な形であってよい。モバイルコンピュータデバイス１１２は、タッチスクリーン１１４といった様々なタイプの入出力デバイスを含む。
【００３１】
［0034］  モバイルコンピュータデバイス１１２は更に、１つ以上のプロセッサ１１５と、メモリ１１７（例えばＲＡＭ、ＲＯＭ、フラッシュメモリ等）とを含む。メモリ１１７は、１つ以上のプロセッサ１１５によって実行されると、当該１つ以上のプロセッサ１１５に、本開示の選択された態様を行わせる命令を記憶する。モバイルコンピュータデバイス１１２は更に、Ｗｉ−Ｆｉ（登録商標）、無線周波数、Ｂｌｕｅｔｏｏｔｈ（登録商標）、ＮＦＣ、ＺｉｇＢｅｅ（登録商標）、符号化光、セルラ等を含むがこれらに限定されない様々な技術を使用する通信を可能にする１つ以上のワイヤレスインターフェース１１９を含む。当然ながら、ネットワーク化されたコンピュータデバイスとして、ブリッジ１１０も、プロセッサ、メモリ、ワイヤレスインターフェース等といったコンポーネントを含む。
【００３２】
［0035］  様々な実施形態において、ユーザは、モバイルコンピュータデバイス１１２を操作して、照明器具１０２及び／又は照明ユニット１０６によって検出されるタッチイベントに呼応して様々なアクションを行うように、照明システムブリッジ１１０、照明器具１０２及び／又は照明ユニット１０６を設定する。後に、照明器具１０２が、同じようなやり方でタッチされると、照明器具１０２は、光を放出する（例えば１つ以上のＬＥＤを活性化する）ことであるその主機能を行い、それと同時に、検出されたタッチイベントが、所定のタッチイベントプロファイルを満たすかどうかが決定される。例えば照明器具１０２に組み込まれる及び／又は照明システムブリッジ１１０といった別のコンピュータデバイスに関連付けられるコントローラ（図２を参照）が、タッチイベントを示すデータ（例えば信号）を、１つ以上の所定のタッチイベントプロファイルと比較する。検出されたタッチイベントが、何れかの所定のタッチイベントプロファイルに「十分に近い」（例えば所定のタッチイベントプロファイルの標準偏差又はユーザ設定偏差内である）場合、一致が見つかる。一致が見つかったことに呼応して、家庭用電化製品から離隔したコンピュータデバイスにおいて、ステートマシンが起動される。
【００３３】
［0036］  図１は、様々な実施形態にしたがって、タッチイベントに呼応して、ステートマシンをトリガするように照明器具１０２を設定するやり方の一例を示す。ユーザは、例えばランプシェード１０８において、照明器具１０２をタッチして、タッチイベントを示すデータ（例えばタッチイベントプロファイル）を、照明器具１０２からブリッジ１１０に送信させる。ブリッジ１１０は、今度は、当該タッチイベントプロファイルを、モバイルコンピュータデバイス１１２に送信する。モバイルコンピュータデバイス１１２は、例えばタッチスクリーン１１４上に、ユーザインターフェース１１６をレンダリングする。様々な実施形態において、ユーザインターフェース１１６は、モバイルコンピュータデバイス１１２上で動作するアプリケーション（即ち、「アプリ」）に関連付けられている。アプリは、照明システム１００を形成している１つ以上の照明器具及び／又は照明ユニットといった様々な家庭用電化製品を、ユーザが制御することを可能にする。様々な実施形態において、ユーザインターフェース１１６は、たった今受信したタッチイベントプロファイル（これは、照明器具１０２、（例えばドロップダウンリストとして）ブリッジ１１０及び／又はモバイルコンピュータデバイス１１２において一度記録されると、「所定」のタッチイベントプロファイルとなる）に一致する将来のタッチイベントに呼応して起動されるべき特定のステートマシンを選択するように、ユーザによって操作可能である。
【００３４】
［0037］  １つ以上のタッチイベントプロファイルとの関連付けのために、様々なタイプのステートマシンが利用可能である。例えば１つのステートマシンは、メッセージを、例えば簡易メッセージングサービス（「ＳＭＳ」）、マルチメディアメッセージングサービス（「ＭＭＳ」）、電子メール等を使用して、指定受信者に送信するように、モバイルコンピュータデバイス１１２上で実行されるルーチンである。指定受信者は、友達、配偶者又は子供といった家族、警備会社、警察署又は消防署といった緊急要員等を含む。
【００３５】
［0038］  様々な実施形態において、（例えば子供若しくはペットによって、又は、通常の使用過程において）偶然に模倣される可能性の低いタッチイベントのみが、緊急要員又は他の機関に連絡を送るステートマシンに関連付けられる。例えばユーザは、照明器具１０２といった家庭用電化製品を設定して、照当該明器具１０２が特定のやり方でタップされる（例えば長いタッチや、「トリプルタップ」（例えば高速の連続で３回のタップ））と、ステートマシンが、警察署にメールを打つようにする。その間、照明器具１０２は、その主機能も行う。即ち、光を放出する。これにより、ユーザは、照明器具１０２を単に点灯するように見せかけて、密かに、関連機関に緊急メールを送信することができ、これは、侵入者の疑惑を刺激することを回避することができる。
【００３６】
［0039］  別の例として、第１のユーザがランプを設定して、第１のユーザの携帯電話機に命令を送信して、「家に着いた」といったメッセージを第２のユーザに送るようにする。第１のユーザは、第２のユーザの家から帰宅すると、当該ランプを点灯する。当該ランプを点灯することによって、第１のユーザの電話機のステートマシンが起動され、これにより、第２のユーザにメールが送信される。第２のユーザは、第１のユーザが家に着いたのかどうかを心配する必要がなくなる。
【００３７】
［0040］  家庭用電化製品は、別のデバイス上のステートマシンを、様々な態様で起動することができる。幾つかの実施形態では、家庭用電化製品は、例えばネットワークを介して、ステートマシンを起動する命令を発行する。別の実施形態では、家庭用電化製品は、タッチイベントを示すデータを、リモートコンピュータデバイスに提供する。リモートコンピュータデバイスは、次に、検出されたタッチイベントが、所定のタッチイベントプロファイルと一致するかどうかを決定し、一致する場合は、ステートマシンを起動するか又はステートマシンを起動させる。
【００３８】
［0041］  図２は、本開示の様々な態様を行うように構成される様々なコンポーネントを有する、照明器具１０２の形の例示的な家庭用電化製品を示す。コントローラ２２０が、メモリ２２２、タッチ検出器２２４、ワイヤレス通信インターフェース２２６及び任意選択的にカメラ２２８に動作可能に結合されるように示される。メモリ２２は、ＲＡＭ、ＲＯＭ、フラッシュメモリ等を含むがこれらに限定されない様々な形であってよい。メモリ２２２は、コントローラ２２０によって実行されると、コントローラ２２０に、本開示の選択される動作を行わせる命令を含む。
【００３９】
［0042］  タッチ検出器２２４は、表面１０４及び／又はランプシェード１０８へのタッチを示す１つ以上の信号を、コントローラ２２０に提供する。タッチ検出器２２４は、様々な形であってよい。例えばタッチ検出器２２４は、例えばユーザのタッチによってもたらされる照明器具１０２の力又は動きを検知する加速度計を含む。様々な実施形態において、このようなタッチ検出器は、照明器具１０２又は照明ユニット１０６に組み込まれる。これに加えて又は代えて、タッチ検出器２２４は、照明器具１０２の全ての又は選択された部分の電気容量をモニタリングするコンポーネントであってもよい。コントローラ２２０は、タッチ検出器２２４によって測定される電気容量の変化が、閾値を満たすかどうかを決定し、それに応じて動作する。これに加えて又は代えて、タッチ検出器２２４は、ワイヤレス通信インターフェース２２６と、照明システムブリッジ１１０といったリモートコンピュータデバイスとの間のワイヤレス信号の強度をモニタリングしてもよい。上記されたように、閾値を満たす当該信号の任意の減衰によって、コントローラ２２０は、タッチイベントを検出する。様々な実施形態において、タッチ検出器２２４は、照明器具１０２といった家庭用電化製品を「タッチ制御型」家庭用電化製品とするように、当該家庭用電化製品上／内に設置されるアダプタといったように、別個の携帯可能なコンポーネントであってよい。
【００４０】
［0043］  ワイヤレス通信インターフェース２２６によって、コントローラ２２０は、データを、様々なワイヤレス媒体を介して、図１のブリッジ１１０及び／又はモバイルコンピュータデバイス１１２といったリモートコンピュータデバイスと交換することができる。ワイヤレス通信インターフェース２２６は、様々な形であってよい。幾つかの実施形態では、ワイヤレス通信インターフェース２２６は、リモートコンピュータデバイスと、Ｂｌｕｅｔｏｏｔｈ（登録商標）、ＺｉｇＢｅｅ（登録商標）、符号化光、Ｗｉ−Ｆｉ（登録商標）、ＲＦＩＤ、近距離無線通信（「ＮＦＣ」）等といった技術を使用して、直接的に又は（例えばローカルワイヤレスネットワークを介して）間接的に通信する。幾つかの実施形態では、ワイヤレス通信インターフェース２２６は、可視光通信（８０２．１５．７）及び／又はボディエリアネットワーク（８０２．１５．６）を含むがこれらに限定されないＩＥＥＥ８０２．１５規格（ワイヤレスパーソナルエリアネットワーク、即ち、「ＷＰＡＮ」）に記載される技術を使用して、リモートコンピュータデバイスと通信する。データを交換するために符号化光が使用される幾つかの実施形態では、カメラ２２８が、事実上のワイヤレス通信インターフェース２２６として機能する。図２には、１つのワイヤレス通信インターフェース２２６しか示されていないが、これは限定を意味しない。様々な実施形態において、照明器具１０２（又は、場合によっては、内蔵される照明ユニット１０６）は、２つ以上のワイヤレス通信インターフェースを含んでもよく、また、追加的に、１つ以上の有線通信インターフェース（図２には図示せず）を含んでもよい。例えば単一の照明器具１０２が、ＺｉｇＢｅｅ（登録商標）インターフェース、ＮＦＣインターフェース及び／又は符号化光インターフェースを含んでもよい。
【００４１】
［0044］  図３は、様々な実施形態にしたがって、１つ以上の他の家庭用電化製品に、タッチイベントを示すデータを送信するように、モバイルコンピュータデバイス１１２と共に、第１の照明器具１０２ａの形である家庭用電化製品を設定する方法の一例を示す。この例では、他の家庭用電化製品は、第２の表面１０４ｂ、第２の内蔵照明ユニット１０６ｂ及び第２のランプシェード１０８ｂを有する第２の照明器具１０２ｂと、ベビーモニタ３３０と、モバイルコンピュータデバイス１１２とを含む。多数の他のタイプの家庭用電化製品も、タッチイベント通知を受信し、様々なステートマシンを起動するように設定されることが可能である。
【００４２】
［0045］  様々なタイプのステートマシンが、様々なアクションを行うように起動される。これらのアクションは、スプリンクラシステムを起動する／停止する、扉を施錠する／開錠する、セキュリティシステムを起動する／停止する、コンピュータシステムにログインする／ログアウトする、ソーシャルネットワークステータスを更新する、家の特定の場所のライトを点灯する、所望の照明シーンを放出するように１つ以上の照明ユニット／照明器具を操作する、好きなラジオ局又はオーディオプレイリストをつける、テレビの特定のチャネルをつける等を含むがこれらに限定されない。
【００４３】
［0046］  幾つかの実施形態では、ユーザは、別の家庭用電化製品とインタラクト（例えばタッチ）して、ユーザが、第１のステートマシンの起動を目の当たりにしたことを知らせる。例えばステートマシンを起動した家庭用電化製品を、第１の照明器具とすると、ステートマシンは、第２の照明器具に、１つ以上の選択された特性を有する光を放出させる。ユーザは、第２の照明器具が、この選択された光を放出することを観察し、第２の照明器具をタップして、当該第２の照明器具に、別のステートマシンを起動させ、当該別のステートマシンは、「メッセージは受信された」という信号を第１の照明器具に（例えばＺｉｇＢｅｅ（登録商標）、符号化光等を介して）送信させる。幾つかの場合では、第１の照明器具は、例えば消灯することによって、この通知に対して反応する。
【００４４】
［0047］  第１の照明器具１０２ａの設定は、図１と同様である。第１の照明器具１０２ａにおいて、タッチイベントが検出されると、タッチイベントを示すデータが、第１の照明器具１０２ａによって、照明システムブリッジ１１０に送信される。例えば照明システムブリッジのない別の実施形態では、第１の照明器具１０２ａは、このデータを、モバイルコンピュータデバイス１１２に直接的に送信する。図１を用いて上記されたように、ユーザは、ユーザインターフェース１１６を操作して、将来における一致するタッチイベントの検出時に起動されるべき様々なステートマシンを選択する。例えばユーザは、「ＡＣＴ．ＢＡＢＹ  ＭＯＮＩＴＯＲ」を選択して、将来の一致するタッチイベントに呼応して、ベビーモニタ３３０を起動させる。第１の照明器具１０２ａが、子供部屋の中又は近くのライトであるとすると、ユーザは、それ以降、第１の照明器具１０２ａを同じようなやり方でタップすることによって、ベビーモニタ３３０を効果的に起動することができる。
【００４５】
［0048］  様々な実施形態において、ユーザは更に、ユーザインターフェース１１６を操作して、第２の照明器具１０２ｂといった１つ以上の他の照明器具によって実施されるべき様々な照明シーンを、様々なタッチイベントプロファイルに関連付けてもよい。このようにすると、第１の照明器具１０２ａが特定のやり方でタッチされると、第１の照明器具１０２ａは、例えば直接的に又はブリッジ１１０を介して、他の照明器具に、当該他の照明器具が放出する光を変更させて所望の照明シーンを作り出す。
【００４６】
［0049］  例えばユーザは、第１の照明器具１０２ａを「ダブルタップ」（例えば高速の連続で２回のタップ）して、第１の照明器具１０２ａに、ダブルタップを示すタッチイベントデータを、ブリッジ１１０に送信させる。ブリッジ１１０は、今度は、このタッチイベントデータを、モバイルコンピュータデバイス１１２に送信する。ユーザは、次に、モバイルコンピュータデバイス１１２によってレンダリングされたユーザインターフェース１１６を操作して、第１の照明器具１０２ａにおいて検出されたダブルタップタッチイベントに関連付けられる１つ以上の照明シーンを選択する。この選択された照明シーンを示す１つ以上の命令（例えば照明制御アクション）が、第２の照明器具１０２ｂを含む照明システム１００の他の光源に送信される。
【００４７】
［0050］  後に、第１の照明器具１０２ａがダブルタップされると、第１の照明器具１０２ａは、照明システム１００の他の光源（例えば第２の照明器具１０２ｂ）に、ユーザが選択した照明シーンを共同で放出させる命令を送信する。例えばダブルタップに関連付けられるよう選択される照明シーンが、「ロマンティック」である場合、第１の照明器具１０２ａは、柔らかい光を放出し、第２の照明器具１０２ｂといった他の照明器具にも同様に柔らかい光を放出させる。幾つかの実施形態では、第１の照明器具１０２ａが、他の照明器具に、光を放出する方法を指示する。他の実施形態では、第１の照明器具１０２ａは、単に、ダブルタップの通知を発行し、他の照明ユニット（例えば１０２ｂ）は、ユーザによって前に設定されたように反応する。このような照明器具間の通信は、ＺｉｇＢｅｅ（登録商標）、符号化光、Ｂｌｕｅｔｏｏｔｈ（登録商標）、Ｗｉ−Ｆｉ（登録商標）等を含むがこれらに限定されない様々な技術を使用する様々な有線又は無線媒体を介して生じる。
【００４８】
［0051］  図４に、第１の照明器具１０２ａにおいて検出されるタッチイベントが、様々な他の家庭用電化製品におけるステートマシンをトリガするやり方の一例が示される。第１の照明器具１０２ａが特定のやり方でタッチされると、第１の照明器具１０２ａは、その主機能（例えば光を放出する又は光の放出を止める）を行い、同時に、検出されたタッチイベントを示すデータを、照明システムブリッジ１１０に、例えばＷｉ−Ｆｉ（登録商標）、符号化光、ＺｉｇＢｅｅ（登録商標）等を使用して送信する。他の実施形態では、照明システムブリッジ１１０は、省略されてもよく、第１の照明器具１０２ａが、当該データを、複数の他の家庭用電化製品に（例えばＢｌｕｅｔｏｏｔｈ（登録商標）、符号化光又はＷｉ−Ｆｉ（登録商標）  Ｄｉｒｅｃｔを使用して）直接的に又は（例えばＷｉ−Ｆｉ（登録商標）又はセルラ通信を使用して）間接的にブロードキャストする。
【００４９】
［0052］  検出されたタッチイベントを示すデータ（例えばタッチイベントが生じたことの指示又は別のコンピュータデバイスによってどのタッチイベントが生じたのかを決定するように分析可能であるデータ）が、第２の照明器具１０２ｂ、ベビーモニタ３３０及び／又はモバイルコンピュータデバイス１１２といった１つ以上の家庭用電化製品に到着する。上記されたように、これらの家庭用電化製品それぞれは、受信したデータに呼応して、選択されたステートマシンを起動する。例えば第２の照明器具１０２ｂは、集合照明シーンの一部として光を放出し、ベビーモニタ３３０は、モニタリングを開始（又は停止）し、及び／又は、モバイルコンピュータデバイス１１２は、指定受信者にテキストメッセージを送信する。
【００５０】
［0053］  図５は、様々な実施形態にしたがって、タッチイベントに呼応して、１つ以上のステートマシンを起動するように家庭用電化製品を設定する例示的な方法５００を示す。（破線の外形によって示されるように）任意選択のステップ５０１において、タッチ検出機構（例えばタッチ検出器２４０）が、照明器具といった家庭用電化製品に設置されていない場合、タッチ検出器が設置される。家庭用電化製品が照明器具である幾つかの実施形態において、加速度計、ジャイロスコープ及び／又はマイクロホンといったタッチ検知機構と共に構成される照明ユニット（例えば１０６）が照明器具に設置される。このコンポーネントは、家庭用電化製品に印加される力又は家庭用電化製品の動きを検出する。例えば加速度計は、インパルス応答を測定する。測定されたインパルス応答は、コントローラ（例えば２２０）によって分析されて、当該インパルス応答が、ここでは、所定のインパルス反応である所定のタッチイベントプロファイルに一致するかどうかが決定される。他の実施形態では、様々なタイプのタッチセンサが、家庭用電化製品に、様々な他のやり方で設置される。
【００５１】
［0054］  ステップ５０２において、家庭用電化製品は、タッチイベントを待つ。ステップ５０４において、家庭用電化製品は、タッチイベントを検出する。上記されたように、タッチイベントは、様々な方法で検出される。幾つかの実施形態では、加速度計が、家庭用電化製品の表面に印加される力及び／又は動きを検出する。幾つかの実施形態では、家庭用電化製品の電気容量の変化が検出される。幾つかの実施形態では、家庭用電化製品のコンポーネントと別のリモートデバイスとの間の無線信号の減衰が検出される。幾つかの実施形態では、マイクロホンが、単独で、又は、他のタッチセンサコンポーネントと組み合わされて使用されて、タッチイベントに関連付けられる音が検出される。
【００５２】
［0055］  ステップ５０６において、家庭用電化製品は、その主機能を行うように操作される。上記されたように、家庭用電化製品が照明器具又は照明ユニットである場合、当該家庭用電化製品は、光を放出する（又は放出を止める）ように操作される。家庭用電化製品が台所用電化製品である場合、当該家庭用電化製品は、加熱する、食べ物及び／又は材料を切る又は混ぜる等をするように操作される。家庭用電化製品が、風呂場用電化製品である場合、当該家庭用電化製品は、髪の毛を切る、歯を磨く、メークアップをする、髪の毛を乾かす等をするように操作される。
【００５３】
［0056］  ステップ５０８において、家庭用電化製品に関連付けられるコントローラによって又はリモートデバイス（例えばブリッジ１１０又はモバイルコンピュータデバイス１１２）によって、タッチイベントが、所定のタッチイベントプロファイルに一致するかどうかが決定される。ステップ５０８における回答がイエスである場合、方法５００は、ステップ５１０に進む。ステップ５１０において、検出されたタッチイベントが一致する所定のタッチイベントプロファイルに関連付けられている１つ以上のステートマシンが起動される。例えば家庭用電化製品又は別のコンピュータデバイス（例えばブリッジ１１０、モバイルコンピュータデバイス１１２）が、検出されたタッチイベントが所定のタッチイベントプロファイルを満たすという指示をブロードキャストし、１つ以上の家庭用電化製品が、様々なステートマシンを起動することによって反応する。例えばモバイルコンピュータデバイス１１２が、テキストメッセージを、指定受信者に送信し、ベビーモニタ３３０が、モニタリングを開始（又は停止）する。方法５００は、次に、ステップ５０２に戻る。
【００５４】
［0057］  ステップ５０８における回答がノーである場合、方法５００は、ステップ５１２に進む。ステップ５１２において、検出されたタッチイベントを示すデータは、例えば家庭用電化製品によって、モバイルコンピュータデバイス１１２といったリモートコンピュータデバイスに送信される。この送信は、（例えばＢｌｕｅｔｏｏｔｈ（登録商標）、Ｗｉ−Ｆｉ（登録商標）  Ｄｉｒｅｃｔ、符号化光等を使用して）直接的であっても、（例えばブリッジ１１０又はＷｉ−Ｆｉ（登録商標）ルータを介して）間接的であってもよい。
【００５５】
［0058］  ステップ５１４において、ユーザは、モバイルコンピュータデバイス１１２を操作し、検出されたタッチイベントプロファイルに基づいて記憶される新しい所定のタッチイベントプロファイルと関連付けられる１つ以上のステートマシンを選択する（例えば指定受信者にメールを送信する、警察にメールを送信する、ベビーモニタを開始する、扉を施錠する、スプリンクラシステムを開始する等）。ユーザが、タッチイベントの後続の検出に呼応して、複数の家庭用電化製品がステートマシンを起動することを望む幾つかの実施形態では、ユーザは、モバイルコンピュータデバイス１１２を操作し、様々な家庭用電化製品に（直接的又は間接的に）命令を送信し、（例えば家庭用電化製品によってブロードキャストされる）後続のタッチイベントが検出されたというメッセージに呼応して、様々なステートマシンを起動させる。方法５００は、次に、ステップ５０２に戻る。
【００５６】
［0059］  上記されたように、様々な所定のタッチイベントプロファイルが、様々なステートマシンに関連付けられる。単一の家庭用電化製品が、第１の所定のタッチイベントプロファイルを満たす、検出されたタッチイベントに呼応して、１つのステートマシンを起動し、また、第２の所定のタッチイベントプロファイルを満たす、検出されたタッチイベントに呼応して、別のステートマシンを起動する。したがって、例えば照明器具を優しくタップすると、当該照明器具に、当該照明器具が放出する光の１つ以上の特性しか変更させない（例えば輝度が増加される、色が変更される等）。同じ照明器具を、より大きい力でタップすると、当該照明器具に、放出される光の１つ以上の特性を変更させるだけでなく、当該照明器具に、他の付近の照明ユニットに命令を発行させ、当該他の付近の照明ユニットが放出する光の１つ以上の特性を同様に又はそうでなければ相補的に変更させる。
【００５７】
［0060］  特に、タッチ検出器２２４が加速度計を含む幾つかの実施形態では、家庭用電化製品がタッチされる方向も、どのリモート家庭用電化製品がステートマシンを起動するかを左右する。例えば照明器具が３次元ベクトルによって表現可能な力でタッチされ、当該照明器具は、それに応えて第１の照明シーンを放出すると仮定する。当該ベクトルの所定の延長距離に沿って又は距離内にある他の照明器具も、第１の照明シーンを放出する命令を受信する。幾つかの実施形態では、ベクトルの振幅が、照明器具がタップされた力に比例する。したがって、照明器具が優しくタップされる場合、ベクトルに沿って付近の照明器具のみが、照明シーンの照明に貢献する。照明器具がより大きい力でタップされる場合、ベクトルは更に延長し、これにより、ベクトルに沿って更に遠くの照明器具が、照明シーンの照明に貢献する。
【００５８】
［0061］  タッチイベントに加えて、様々な他のタイプの力が家庭用電化製品によって検出され、当該家庭用製品は、それに呼応して、１つ以上のステートマシンを起動してもよい（又は起動しなくてもよい）。例えば様々な実施形態において、家庭用電化製品に、家庭用電化製品の振動又は他の動作を検出可能であるセンサ（例えば加速度計、ジャイロスコープ、マイクロホン、カメラ又は振動を測定するように構成された別のデバイス）が具備される。これらの検出された振動又は動作は、例えばコントローラ２２０、ブリッジ１１０及び／又はモバイルコンピュータデバイス１１２によって分析されて、例えば少なくとも閾値マグニチュードの地震が起きたがどうかが決定される。起きた場合、家庭用電化製品は、別の家庭用電化製品及び／又はモバイルコンピュータデバイス１１２に指示を発行して、適切なステートマシンを起動する。例えばモバイルコンピュータデバイス１１２は、配偶者に、「すぐに電話してください」とのメールを送信するか、緊急要員に「助けてください」とのメールを送信する。これに加えて又は代えて、照明器具といった家庭用電化製品は、当該家庭用電化製品が（例えば侵入者、ペット又は子供によって）倒されたとき、物体（例えばボール又は別のおもちゃ）がぶつかったとき等を検出し、それに応じて対応するように設定されてもよい。
【００５９】
［0062］  幾つかの実施形態では、家庭用電化製品は、近づく又は通り過ぎる足音を検出するマイクロホン又は同様のセンサを含む。この場合、（例えば家庭用電化製品が照明器具である場合）家庭用電化製品自体が、光を放出するか、他の付近の家庭用電化製品（例えば照明器具）に光を放出させる。
【００６０】
［0063］  幾つかの実施形態では、開示される技術を使用して、ゲームが実施される。例えば記憶ゲームが、子供部屋の中の複数の照明器具及び／又は照明ユニットを使用する。複数の照明器具／照明ユニットは、特定のシーケンスで照明する（例えば点灯及び消灯する、並びに／又は、異なる色を放出する）。シーケンスが終了すると、子供は、照明器具／照明ユニットを同じシーケンスでタップすることを試みる。幾つかの実施形態では、各照明器具／照明ユニットが、照明システムブリッジ又は別のリモートコンピュータデバイスに、子供のタップを知らせる。照明システムブリッジ又はリモートコンピュータデバイスは、これにより、子供のタップしたシーケンスを追跡し、子供が元のシーケンスを正しく再現したかどうかを検証する。子供が成功裏にシーケンスを再現した場合、複数の照明器具／照明ユニットは、お祝いのシーケンスで子供に褒美を与え、さらに、より難しいシーケンスを子供に提示する。幾つかの実施形態では、モバイルコンピュータデバイス１１２といった別のコンピュータデバイスが、可聴フィードバックを提供する。別の変形態様として、照明器具／照明ユニットは、様々な色を放出し、子供は、同じ色を放出した照明器具／照明ユニットのグループをタップすることを試みる。
【００６１】
［0064］  本明細書において、幾つかの発明実施形態を説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明実施形態の範囲内であるとみなされる。より一般的には、当業者であれば、本明細書にて説明されるすべてのパラメータ、寸法、材料及び構成は例示を意図し、実際のパラメータ、寸法、材料及び／又は構成は、発明教示内容が用いられる１つ以上の特定用途に依存することを容易に理解できよう。当業者であれば、本明細書にて説明した特定の発明実施形態の多くの等価物を、単に所定の実験を用いて認識又は確認できよう。したがって、上記実施形態は、例として提示されたものに過ぎず、発明実施形態は、添付の特許請求の範囲及びその等価物の範囲内で、具体的に説明される又は請求項に係る態様以外に実施可能であることは理解されるべきである。本開示の発明実施形態は、本明細書において説明される個々の特徴、システム、商品、材料、キット及び／又は方法に関する。更に、２つ以上のこのような特徴、システム、商品、材料、キット及び／又は方法の任意の組み合わせも、当該特徴、システム、商品、材料、キット及び／又は方法が相互に矛盾していなければ、本開示の本発明の範囲内に含まれる。
【００６２】
［0065］  当然ながら、特に明記されない限り、本明細書に記載された２つ以上のステップ又は動作を含むどの方法においても、当該方法のステップ又は動作の順番は、記載された方法のステップ又は動作の順序に必ずしも限定されない。
【００６３】
［0066］  請求項において、括弧の間に登場する参照符号は、ある場合は、便宜上、提供されたものに過ぎず、請求項をいかようにも限定するものとして解釈されるべきではない。
【００６４】
［0067］  特許請求の範囲だけでなく、上記明細書においても、「備える」、「含む」、「担持する」、「有する」、「含有する」、「関与する」、「保持する」、「〜から構成される」等といったあらゆる移行句は、非制限的、即ち、含むがそれに限定されないことを意味すると理解されるべきである。米国特許庁特許審査手続便覧の第２１１１．０３項に記載される通り、「〜からなる」及び「本質的に〜からなる」といった移行句のみが、制限又は半制限移行句である。
【図１】
0006557252.tif 000002
【図２】
0006557252.tif 000003
【図３】
0006557252.tif 000004
【図４】
0006557252.tif 000005
【図５】
0006557252.tif 000006